(57)【特許請求の範囲】
【請求項１】
同軸ケーブルの中心導体との接続がなされる中心導体接続部と相手方同軸コネクタ装置の中心コンタクトに接触接続される接触端子部とを有したコンタクト部材と、
上記相手方同軸コネクタ装置における上記中心コンタクトを包囲する外側コンタクトに嵌合接続される環状嵌合部と該環状嵌合部から折曲可能に伸びて上記同軸ケーブルの外側導体との接続がなされるシェル部とを有したグラウンドコンタクト部材と、
上記コンタクト部材と上記グラウンドコンタクト部材とを相互絶縁状態をもって支持するものとされ、上記コンタクト部材の接触端子部が挿入される透孔が設けられて上記グラウンドコンタクト部材の環状嵌合部の内側に配される基部を有した絶縁ハウジング部材と、
を備えて構成され、
上記絶縁ハウジング部材が、上記基部から上記グラウンドコンタクト部材の環状嵌合部の外側へと伸びて上記コンタクト部材の中心導体接続部を保持し、該中心導体接続部を上記環状嵌合部の外側に配されるものとなす保持部を有し、
上記グラウンドコンタクト部材のシェル部に、上記中心導体接続部を保持した上記保持部を挟持する折曲挟持部が設けられ、
上記中心導体接続部が、上記保持部に固定された固定部分と該固定部分に対して変位可能とされた可動部分とを有し、上記固定部分と上記可動部分とで上記同軸ケーブルの中心導体を挟持して該中心導体が上記中心導体接続部に接続された状態となし、
上記コンタクト部材の接触端子部が上記環状嵌合部の内側に配されるとともに、上記折曲挟持部によって挟持された上記保持部により保持された上記中心導体接続部が上記環状嵌合部の外側に配されて、上記中心導体接続部と該中心導体接続部に接続された上記中心導体とが上記環状嵌合部の内側において上記相手方同軸コネクタ装置の中心コンタクトに重ねられる位置に配されることがないものとされることを特徴とする同軸コネクタ装置。
【請求項２】
上記中心導体接続部が、上記固定部分に同軸ケーブルの中心導体が載置されたもとで、上記可動部分が上記絶縁ハウジング部材に設けられた折曲当接部により押圧されて上記固定部分に向かって変位せしめられることにより、上記可動部分と上記固定部分とにより上記同軸ケーブルの中心導体が挟持される状態をとることを特徴とする請求項１記載の同軸コネクタ装置。
【請求項３】
上記中心導体接続部の固定部分と上記絶縁ハウジング部材の保持部とに、同軸ケーブルの中心導体が上記中心導体接続部に接続された状態の確認に供される開口部が形成されていることを特徴とする請求項２記載の同軸コネクタ装置。
【請求項４】
上記コンタクト部材が上記中心導体接続部と上記接触端子部とを連結する平板状連結部を有しており、同軸ケーブルの中心導体が上記中心導体接続部に接続されたとき、上記中心導体接続部と上記接触端子部との両者が上記平板状連結部から同じ方向に突出するものとなることを特徴とする請求項１記載の同軸コネクタ装置。
【請求項５】
上記グラウンドコンタクト部材が、上記環状嵌合部と上記シェル部とに加えて、上記環状嵌合部から伸びて、上記絶縁ハウジング部材の保持部に係合するハウジング受け部を有していることを特徴とする請求項１記載の同軸コネクタ装置。
【発明の詳細な説明】
【技術分野】
【０００１】
本願の特許請求の範囲に記載された発明は、中心導体とそれを絶縁体を介して包囲する外側導体とが絶縁被覆されて成る同軸ケーブルの中心導体及び外側導体が夫々接続される、互いに絶縁されたコンタクト部材及びグラウンドコンタクト部材を備えて成り、他の同軸コネクタ装置である相手方同軸コネクタ装置に嵌合連結される同軸コネクタ装置に関する。
【背景技術】
【０００２】
複数の電気部品，電気装置あるいは電子機器間等における高周波信号の伝送には、外部ノイズの影響を受け難い信号伝送路を形成する、中心導体とそれを絶縁体を介して包囲する外部導体とが絶縁被覆されて成る同軸ケーブルが用いられることが多い。例えば、同軸ケーブルが高周波信号を扱う回路基板に接続されて、当該回路基板からその外部への同軸ケーブルを通じた高周波信号の伝送、あるいは、当該回路基板への外部からの高周波信号の同軸ケーブルを通じた伝送が行われる。
【０００３】
同軸ケーブルが回路基板に接続される際には、同軸ケーブルの中心導体が接続されるコンタクト部材と同軸ケーブルの外部導体が接続されるグラウンドコンタクト部材とを備えた同軸コネクタ装置が同軸ケーブルの一端に装着され、その同軸コネクタ装置が、回路基板において扱われる高周波信号が供給される中心コンタクトと中心コンタクトを包囲して配されてグラウンド電位が与えられる外側コンタクトを備えて回路基板に取り付けられた相手方同軸コネクタ装置に連結されるようにされる。このような同軸コネクタ装置の相手方同軸コネクタ装置との連結は、例えば、同軸コネクタ装置のグラウンドコンタクト部材が相手方同軸コネクタ装置の外側コンタクトに嵌合接続されるもとで、同軸コネクタ装置のコンタクト部材が相手方同軸コネクタ装置の中心コンタクトに接触接続される状態がとられて行われる。
【０００４】
斯かる同軸コネクタ装置の相手方同軸コネクタ装置との連結が行われるにあたっては、回路基板に取り付けられた相手方同軸コネクタ装置が、それにおける中心コンタクトと外側コンタクトとを回路基板における部品等搭載面の上方に向かわせるものとされ、その相手方同軸コネクタ装置に対して、同軸ケーブルの一端に装着された同軸コネクタ装置が、回路基板における部品等搭載面の上方からその部品等搭載面に向かう方向をもって係合せしめられて、同軸コネクタ装置のグラウンドコンタクト部材が相手方同軸コネクタ装置の外側コンタクトに嵌合接続されるとともに、同軸コネクタ装置のコンタクト部材が相手方同軸コネクタ装置の中心コンタクトに接触接続される。従って、相手方同軸コネクタ装置が取り付けられた回路基板上において、同軸コネクタ装置は、回路基板の部品等搭載面から突出する方向、即ち、回路基板の部品等搭載面に直交する方向の寸法を厚み寸法とするものとなる。
【０００５】
従来、同軸コネクタ装置として様々なものが知られているが、それらのうちの一つとして、同軸ケーブルの一端への装着を適正かつ容易にすべく、それが備えるコンタクト部材と同軸ケーブルの中心導体との接続に半田付けを必要としないようにした同軸コネクタ装置が提案されている（例えば、特許文献１参照。）。斯かる特許文献１に開示されている同軸コネクタ装置は、環状嵌合部とその環状嵌合部から伸びるシェル折曲げ部とを有したシェル（グラウンドコンタクト部材）と、コンタクト固定部とそのコンタクト固定部から伸びるコンタクト折曲げ部及び一対の係合部（接触接続部）とを有した接続端子（コンタクト部材）と、絶縁折曲げ部を有して接続端子とシェルとの間に配される絶縁部（絶縁ハウジング部材）とを備えて構成される。そして、接続端子が絶縁部により支持され、その絶縁部がシェルにより支持されて、接続端子のコンタクト固定部とそれから伸びるコンタクト折曲げ部とが、シェルの環状嵌合部に対して、接続端子のコンタクト固定部から伸びる係合部がシェルの環状嵌合部によって包囲されることになる位置に配される。
【０００６】
斯かる同軸コネクタ装置が同軸ケーブルの一端に装着される際には、同軸ケーブルの中心導体が接続端子のコンタクト固定部に対応する位置に配されて、接続端子のコンタクト折曲げ部，絶縁部の絶縁折曲げ部及びシェルのシェル折曲げ部が折り重ねられることにより、同軸ケーブルの中心導体が、接続端子のコンタクト固定部とコンタクト折曲げ部とにより挟まれて固定され、接続端子に接続された状態が維持されるとともに、シェル折曲げ部が同軸ケーブルの外側導体に接続される状態がとられる。その後、同軸ケーブルの一端に装着された同軸コネクタ装置は、回路基板に取り付けられた相手方同軸コネクタ装置に、シェルの環状嵌合部を相手方同軸コネクタ装置の外側コンタクトに嵌合させるとともに、接続端子のコンタクト固定部から伸びる係合部を相手方同軸コネクタ装置の中心コンタクトに接触接続させて連結される。
【０００７】
このような特許文献１に開示された従来の同軸コネクタ装置にあっては、同軸ケーブルの一端に装着されて回路基板に取り付けられた相手方同軸コネクタ装置に連結されたとき、接続端子に接続された同軸ケーブルの中心導体が、接続端子のコンタクト固定部から伸びる係合部がシェルの環状嵌合部によって包囲されることになる位置に配された接続端子のコンタクト固定部とコンタクト折曲げ部とによって挟まれたものとされる。従って、接続端子のコンタクト固定部及びコンタクト折曲げ部とそれらにより挟まれて固定された同軸ケーブルの中心導体とが、シェルの環状嵌合部の内側において、回路基板に取り付けられた相手方同軸コネクタ装置の中心コンタクトに重ねられることになる位置に配されるので、その分だけ厚み寸法が増すことになってしまう。
【０００８】
そのため、同軸ケーブルの一端に装着されるにあたり、コンタクト部材と同軸ケーブルの中心導体との接続位置を工夫することにより、厚み寸法の低減を図るようにした同軸コネクタ装置も従来提案されている（例えば、特許文献２参照。）。斯かる特許文献２に開示されている同軸コネクタ装置は、環状嵌合部とその環状嵌合部から伸びる舌片部と舌片部に設けられた複数対のカシメ片とを有した金属シェル（グラウンドコンタクト部材）と、金属シェルの環状嵌合部の内側に配される一対のプラグ接続端子と金属シェルの環状嵌合部の外側に配される一対のケーブル接続端子とを有したコンタクト（コンタクト部材）と、コンタクトの一対のケーブル接続端子を外側から挟む一対の折り曲げ片を有してコンタクトと金属シェルとの間に配されるハウジング（絶縁ハウジング部材）とを備えて構成される。そして、コンタクトがハウジングにより位置決めされ、そのハウジングが金属シェルにより保持されて、コンタクトの一対のケーブル接続端子及びハウジングの一対の折り曲げ片の夫々が同一の方向において相互対向するものとされ、金属シェルの舌片部に設けられた一対のカシメ片がハウジングの一対の折り曲げ片を外側から挟む位置に配される。
【０００９】
斯かる同軸コネクタ装置が同軸ケーブルの一端に装着される際には、同軸ケーブルの中心導体が、金属シェルの環状嵌合部の外側に配されたコンタクトの一対のケーブル接続端子の間に配されて、金属シェルの舌片部に設けられた一対のカシメ片が内側に折曲げられることにより、ハウジングの一対の折り曲げ片が金属シェルの舌片部に設けられた一対のカシメ片によって夫々押圧変位せしめられて、コンタクトの一対のケーブル接続端子を相互に近接する方向に変位させ、それにより、同軸ケーブルの中心導体が、コンタクトの一対のケーブル接続端子により挟まれて固定され、コンタクトに接続された状態が維持される。また、それとともに、金属シェルの舌片部に設けられた他の一対のカシメ片が内側に折曲げられることにより、金属シェルの舌片部が同軸ケーブルの外側導体に接続される状態がとられる。
【００１０】
その後、同軸ケーブルの一端に装着された同軸コネクタ装置は、回路基板に取り付けられた相手方同軸コネクタ装置に、金属シェルの環状嵌合部を相手方同軸コネクタ装置の外側コンタクトに嵌合させるとともに、金属シェルの環状嵌合部の内側に配された一対のプラグ接続端子を相手方同軸コネクタ装置の中心コンタクトに接触接続させて連結される。これに関連して、上述のコンタクトの一対のケーブル接続端子及びハウジングの一対の折り曲げ片の夫々における相互対向方向は、金属シェルの環状嵌合部の相手方同軸コネクタ装置の外側コンタクトに対する嵌合方向に直交するものとなるように選定されている。
【００１１】
このような特許文献２に開示された従来の同軸コネクタ装置にあっては、同軸ケーブルの一端に装着されて回路基板に取り付けられた相手方同軸コネクタ装置に連結されたとき、コンタクトに接続された同軸ケーブルの中心導体が、金属シェルの環状嵌合部の外側となる位置に配されたコンタクトの一対のケーブル接続端子によって挟まれたものとされる。従って、コンタクトの一対のケーブル接続端子とそれらにより挟まれて固定された同軸ケーブルの中心導体とが、金属シェルの環状嵌合部の内側において回路基板に取り付けられた相手方同軸コネクタ装置の中心コンタクトに重ねられることになる位置に配されることがなく、その結果、厚み寸法の低減が図られることになる。
【先行技術文献】
【特許文献】
【００１２】
【特許文献１】特開２００２−３２４６３６号公報（第３〜４頁及び図１〜図７）
【特許文献２】特開２００６−１７９４０９号公報（第４〜６頁及び図１〜図９）
【発明の概要】
【発明が解決しようとする課題】
【００１３】
上述された、コンタクト部材と同軸ケーブルの中心導体との接続に半田付けが必要とされず、かつ、厚み寸法の低減を図ることができるようにされた、従来提案されている同軸コネクタ装置にあっては、その利点の反面、その構成部材の一つである絶縁ハウジング部材の構成が複雑なものとされるという不都合を伴うことになってしまう。即ち、上述の従来提案されている同軸コネクタ装置に備えられる絶縁ハウジング部材は、コンタクト部材が有する一対のケーブル接続端子を外側から挟んで相互対向する一対の折り曲げ片を備えるものとされることが必要とされる。しかも、斯かる一対の折り曲げ片は、その相互対向方向が、当該同軸コネクタ装置が回路基板に取り付けられた相手方同軸コネクタ装置に連結される際におけるグラウンドコンタクト部材の環状嵌合部の相手方同軸コネクタ装置の外側コンタクトに対する嵌合方向に直交する方向に選定されなければならず、また、金属シェルの舌片部に設けられた一対のカシメ片が内側に折曲げられるとき、その一対のカシメ片によって夫々押圧変位せしめられて、コンタクトが有する一対のケーブル接続端子を相互に近接する方向に変位させる動作を行うものでなくてはならない。それにより、絶縁ハウジング部材が、その構成に複雑化がまねかれて、製作及び組付けに手間が掛かるものとなり、同軸コネクタ装置の製造コストを嵩ませる要因となってしまう。
【００１４】
斯かる点に鑑み、本願の特許請求の範囲に記載された発明は、同軸ケーブルの中心導体が接続されるコンタクト部材と、同軸ケーブルの外側導体が接続されるグラウンドコンタクト部材と、コンタクト部材とグラウンドコンタクト部材とを相互絶縁状態をもって支持する絶縁ハウジング部材とを備えて構成されるもとで、コンタクト部材と同軸ケーブルの中心導体との接続に半田付けを不要とでき、しかも、絶縁ハウジング部材についての構成の複雑化をまねくことなく、厚み寸法の低減を図ることができることになる同軸コネクタ装置を提供する。
【課題を解決するための手段】
【００１５】
本願の特許請求の範囲における請求項１から請求項５までのいずれかに記載された発明に係る同軸コネクタ装置（以下、本願発明に係る同軸コネクタ装置という。）は、同軸ケーブルの中心導体との接続がなされる中心導体接続部と相手方同軸コネクタ装置の中心コンタクトに接触接続される接触端子部とを有したコンタクト部材と、相手方同軸コネクタ装置における中心コンタクトを包囲する外側コンタクトに嵌合接続される環状嵌合部とそれから折曲可能に伸びて同軸ケーブルの外側導体との接続がなされるシェル部とを有したグラウンドコンタクト部材と、コンタクト部材とグラウンドコンタクト部材とを相互絶縁状態をもって支持するものとされ、コンタクト部材の接触端子部が挿入される透孔が設けられてグラウンドコンタクト部材の環状嵌合部の内側に配される基部を有した絶縁ハウジング部材とを備えて構成される。そして、絶縁ハウジング部材が、基部からグラウンドコンタクト部材の環状嵌合部の外側へと伸びてコンタクト部材の中心導体接続部を保持し、そのコンタクト部材の中心導体接続部をグラウンドコンタクト部材の環状嵌合部の外側に配されるものとなす保持部を有し、グラウンドコンタクト部材のシェル部に、コンタクト部材の中心導体接続部を保持した絶縁ハウジング部材の保持部を挟持する折曲挟持部が設けられ、コンタクト部材の中心導体接続部が、絶縁ハウジング部材の保持部に固定された固定部分とそれに対して変位可能とされた可動部分とを有し、固定部分と可動部分とで同軸ケーブルの中心導体を挟持して同軸ケーブルの中心導体が中心導体接続部に接続された状態となし、コンタクト部材の接触端子部がグラウンドコンタクト部材の環状嵌合部の内側に配されるとともに、シェル部の折曲挟持部によって挟持された絶縁ハウジング部材の保持部により保持されたコンタクト部材の中心導体接続部がグラウンドコンタクト部材の環状嵌合部の外側に配されて、コンタクト部材の中心導体接続部とそれに接続された同軸ケーブルの中心導体とがグラウンドコンタクト部材の環状嵌合部の内側において相手方同軸コネクタ装置の中心コンタクトに重ねられる位置に配されることがないものとされる。
【００１６】
特に、本願発明のうちの請求項５に記載されたものに係る同軸コネクタ装置にあっては、グラウンドコンタクト部材が、環状嵌合部とシェル部とに加えて、環状嵌合部から伸びて、絶縁ハウジング部材におけるコンタクト部材の中心導体接続部の近傍となる部分に係合するハウジング受け部を有している。
【００１７】
上述の本願発明に係る同軸コネクタ装置にあっては、コンタクト部材の接触端子部が、グラウンドコンタクト部材の環状嵌合部の内側に配された絶縁ハウジング部材の基部に設けられた透孔に挿入されるとともに、絶縁ハウジング部材の基部からグラウンドコンタクト部材の環状嵌合部の外側へと伸びてシェル部の折曲挟持部によって挟持された保持部により保持されたコンタクト部材の中心導体接続部が、絶縁ハウジング部材の保持部に固定された固定部分とそれに対して変位可能とされた可動部分とを有してグラウンドコンタクト部材の環状嵌合部の外側に配されたもとで、同軸ケーブルの中心導体がコンタクト部材の中心導体接続部に接続されるとともに、同軸ケーブルの外側導体がグラウンドコンタクト部材のシェル部に接続されて、同軸ケーブルの一端部に装着される。その際、同軸ケーブルの中心導体のコンタクト部材の中心導体接続部への接続は、例えば、絶縁ハウジング部材の保持部に固定された中心導体接続部における固定部分に同軸ケーブルの中心導体が載置されたもとで、中心導体接続部における可動部分が固定部分に近接すべく当該固定部に向かって変位せしめられ、それにより可動部分と固定部分とによって同軸ケーブルの中心導体が挟持されることにより行われる。
【００１８】
そして、コンタクト部材の中心導体接続部における固定部分及び可動部分は、グラウンドコンタクト部材の環状嵌合部の外側に配されているので、可動部分と固定部分とによって挟持された同軸ケーブルの中心導体もグラウンドコンタクト部材の環状嵌合部の外側に位置することになる。
【００１９】
同軸ケーブルの一端部に装着された本願発明に係る同軸コネクタ装置は、例えば、回路基板に取り付けられた相手方同軸コネクタ装置に、グラウンドコンタクト部材の環状嵌合部を相手方同軸コネクタ装置の外側コンタクトに嵌合させるとともに、グラウンドコンタクト部材の環状嵌合部の内側に配されたコンタクト部材の接触接続部を相手方同軸コネクタ装置の中心コンタクトに接触接続させて、連結される。このようにして、相手方同軸コネクタ装置に連結された本願発明に係る同軸コネクタ装置にあっては、コンタクト部材の中心導体接続部における固定部分及び可動部分及びそれらにより挟持された同軸ケーブルの中心導体は、相手方同軸コネクタ装置の外側コンタクトに嵌合したグラウンドコンタクト部材の環状嵌合部の外側に位置していて、グラウンドコンタクト部材の環状嵌合部の内側において相手方同軸コネクタ装置の中心コンタクトに重ねられることになる位置には配されない。
【００２０】
また、特に、本願発明のうちの請求項５に記載されたものに係る同軸コネクタ装置にあっては、グラウンドコンタクト部材に設けられた環状嵌合部から伸びるハウジング受け部が、絶縁ハウジング部材におけるコンタクト部材の中心導体接続部の近傍となる部分に係合し、それにより、絶縁ハウジング部材を補強する。
【発明の効果】
【００２１】
このような本願発明に係る同軸コネクタ装置にあっては、同軸ケーブルの一端部に装着されたとき、コンタクト部材の中心導体接続部における固定部分及び可動部分及びそれらにより挟持された同軸ケーブルの中心導体が、相手方同軸コネクタ装置に連結されたとき、グラウンドコンタクト部材の環状嵌合部の内側において相手方同軸コネクタ装置の中心コンタクトに重ねられることになる位置に配されることがないので、厚み寸法の低減を図ることができることになる。
【００２２】
しかも、斯かるもとで、同軸ケーブルの中心導体のコンタクト部材の中心導体接続部への接続は、絶縁ハウジング部材の保持部に固定された中心導体接続部の固定部に同軸ケーブルの中心導体が載置されたもとで、その固定部に向けて中心導体接続部における可動部分を押圧し、可動部分と固定部分とによって同軸ケーブルの中心導体を挟持することにより行うことができるので、絶縁ハウジング部材の構成を複雑にするような別段の手段は要されず、コンタクト部材と同軸ケーブルの中心導体とを接続する半田付けも必要とされない。また、コンタクト部材の中心導体接続部を保持した絶縁ハウジング部材の保持部がグラウンドコンタクト部材のシェル部に設けられた折曲挟持部によって挟持されるので、同軸ケーブルの中心導体が接続されたコンタクト部材の中心導体接続部が絶縁ハウジング部材の保持部により保持された状態が安定に維持される。
【００２３】
その結果、本願発明に係る同軸コネクタ装置によれば、コンタクト部材と同軸ケーブルの中心導体との接続に半田付けを不要とでき、しかも、絶縁ハウジング部材についての構成の複雑化をまねくことなく、厚み寸法の低減を図ることができることになる。
【００２４】
また、特に、本願発明のうちの請求項５に記載されたものに係る同軸コネクタ装置によれば、グラウンドコンタクト部材に設けられた環状嵌合部から伸びるハウジング受け部によって絶縁ハウジング部材が補強されるので、絶縁ハウジング部材についての必要な機械的強度を損なうことなく、絶縁ハウジング部材の肉厚を薄くして、厚み寸法の更なる低減を図ることができる。
【図面の簡単な説明】
【００２５】
【図１】本願発明に係る同軸コネクタ装置の一例を同軸ケーブルの一部と共に示す平面図である。
【図２】本願発明に係る同軸コネクタ装置の一例を同軸ケーブルの一部と共に示す底面図である。
【図３】図１における III−III 線断面を示す断面図である。
【図４】本願発明に係る同軸コネクタ装置の一例が嵌合連結される相手方同軸コネクタ装置の一例を示す上面側から見た斜視図である。
【図５】本願発明に係る同軸コネクタ装置の一例が嵌合連結される相手方同軸コネクタ装置の一例を示す底面側から見た斜視図である。
【図６】本願発明に係る同軸コネクタ装置の一例が備える絶縁ハウジング部材を示す上面側から見た斜視図である。
【図７】本願発明に係る同軸コネクタ装置の一例が備える絶縁ハウジング部材を示す底面側から見た斜視図である。
【図８】本願発明に係る同軸コネクタ装置の一例が備える絶縁ハウジング部材を示す底面図である。
【図９】本願発明に係る同軸コネクタ装置の一例が備えるグラウンドコンタクト部材を示す上面側から見た斜視図である。
【図１０】本願発明に係る同軸コネクタ装置の一例が備えるグラウンドコンタクト部材を示す底面側から見た斜視図である。
【図１１】本願発明に係る同軸コネクタ装置の一例が備えるコンタクト部材を示す側面図である。
【図１２】本願発明に係る同軸コネクタ装置の一例が備えるコンタクト部材を示す上面側から見た斜視図である。
【図１３】本願発明に係る同軸コネクタ装置の一例が備えるコンタクト部材を示す底面側から見た斜視図である。
【図１４】本願発明に係る同軸コネクタ装置の一例を示す上面側から見た斜視図である。
【図１５】本願発明に係る同軸コネクタ装置の一例を示す底面側から見た斜視図である。
【図１６】本願発明に係る同軸コネクタ装置の一例を示す断面図である。
【図１７】本願発明に係る同軸コネクタ装置の一例が同軸ケーブルの一端部に装着される過程を示す斜視図である。
【発明を実施するための形態】
【００２６】
本願発明を実施するための形態は、以下に述べられる本願発明についての実施例をもって説明される。
【実施例】
【００２７】
図１（平面図），図２（底面図）及び図３（図１における III−III 線断面を示す断面図）は、本願発明に係る同軸コネクタ装置の一例を、それが一端部に装着された同軸ケーブルの一例と共に示す。
【００２８】
図１〜図３に示される本願発明に係る同軸コネクタ装置の一例を成す同軸コネクタ装置１０は、同軸ケーブル１１の一端部に装着されており、同軸ケーブル１１は、中心導体１２と、中心導体１２を密着包囲する内部絶縁体１３と、内部絶縁体１３を密着包囲する外側導体１４と、外側導体１４を密着包囲する表皮絶縁体１５とを有している。斯かる同軸ケーブル１１の一端部においては、表皮絶縁体１５が部分的に切除されて外側導体１４が露出するとともに、その外側導体１４及び内部絶縁体１３の夫々が部分的に切除されて中心導体１２が露出する状態におかれている。
【００２９】
同軸コネクタ装置１０は、主要構成要素として、導電性材料により形成されて、同軸ケーブル１１の中心導体１２との電気的接続がなされるコンタクト部材２０と、導電性材料により形成されて、同軸ケーブル１１の外側導体１４との電気的接続がなされるグラウンドコンタクト部材２１と、合成樹脂材等の絶縁材料により形成されて、コンタクト部材２０とグラウンドコンタクト部材２１とを相互絶縁状態をもって支持する絶縁ハウジング部材２２とを備えている。
【００３０】
絶縁ハウジング部材２２は、外周面２３が円錐筒面状を成すものとされ、中央部に矩形透孔２４が形成された基部２５を有しており、また、グラウンドコンタクト部材２１が、絶縁ハウジング部材２２の基部２５を包囲する環状嵌合部２６を有している。そして、これら絶縁ハウジング部材２２の基部２５とグラウンドコンタクト部材２１の環状嵌合部２６とは、同軸コネクタ装置１０における嵌合連結部を構成しており、同軸ケーブル１１の一端部に装着された同軸コネクタ装置１０は、斯かる嵌合連結部をもって、相手方同軸コネクタ装置に嵌合連結される。
【００３１】
図４（上面側から見た斜視図）及び図５（底面側から見た斜視図）は、同軸コネクタ装置１０が嵌合連結される相手方同軸コネクタ装置の一例を成す相手方同軸コネクタ装置３０を示す。相手方同軸コネクタ装置３０は、回路基板（図示が省略されている。）に固定されるものとされており、合成樹脂材等の絶縁材料により形成されて、相手方同軸コネクタ装置３０が固定される回路基板の部品等搭載面上に配される絶縁基体３１を備えている。絶縁基体３１は、相手方同軸コネクタ装置３０が固定される回路基板の部品等搭載面に対接する底面側部分３２とそれに対向する上面側部分３３とを有しており、その中央部分に、底面側部分３２と上面側部分３３とを連通する透孔（図には現われていない。）が形成されている。
【００３２】
また、相手方同軸コネクタ装置３０は、導電材料により形成され、絶縁基体３１の中央部分に形成された透孔を底面側部分３２側から上面側部分３３側へと貫通して、絶縁基体３１に組み付けられる信号用接触導体３４を備えている。信号用接触導体３４には、絶縁基体３１において底面側部分３２側から透孔を貫通して上面側部分３３側へと伸びる円柱状部を成す中心コンタクト３５と，絶縁基体３１の底面側部分３２において中心コンタクト３５から絶縁基体３１の外部へと伸びる信号用接続部３６とが設けられている。中心コンタクト３５は、相手側同軸コネクタ装置３０に嵌合連結される同軸コネクタ装置１０におけるコンタクト部材２０が接触接続されるものとされ、信号用接続部３６は、絶縁基体３１が配される部品等搭載面を有する回路基板に設けられた信号端子に、例えば、半田付けにより接続される。
【００３３】
さらに、相手方同軸コネクタ装置３０は、導電材料により形成され、絶縁基体３１の上面側部分３３側において、中心コンタクト３５を、絶縁基体３１が配される回路基板の部品等搭載面に沿って包囲する環状体を成すものとして、絶縁基体３１に組み付けられた外側コンタクト３７を備えている。外側コンタクト３７には、それから絶縁基体３１を貫通して絶縁基体３１の底面側部分３２側及び絶縁基体３１の外部へと伸びる接地用接続部３８が設けられている。外側コンタクト３７は、相手側同軸コネクタ装置３０に嵌合連結される同軸コネクタ装置１０におけるグラウンドコンタクト部材２１の環状嵌合部２６が嵌合接続されるものとされ、接地用接続部３８は、絶縁基体３１が配される部品等搭載面を有する回路基板に設けられた接地端子に、例えば、半田付けにより接続される。なお、信号用接触導体３４及び外側コンタクト３７の絶縁基体３１への組み付けは、例えば、インサート成形による一体組付けとしてもよい。
【００３４】
同軸コネクタ装置１０が備える絶縁ハウジング部材２２は、図６，図７及び図８に示されるように、基部２５に加えて、基部２５の一端から折曲可能に伸び、折り曲げられたときコンタクト部材２０に当接するものとされる折曲当接部４０と、基部２５から伸びて、コンタクト部材２０を保持するとともに、グラウンドコンタクト部材２１の部分が係合することになる保持部４１とを有している。折曲当接部４０は、全体として平板状部を成すものとされており、また、保持部４１には、その略中央となる部分に、透孔４２が形成され、さらに、その底面部側に、グラウンドコンタクト部材２１の部分を受ける一対の凹部４３が透孔４２を挟むようにして形成されている。
【００３５】
また、同軸コネクタ装置１０が備えるグラウンドコンタクト部材２１は、図９及び図１０に示されるように、環状嵌合部２６に加えて、環状嵌合部２６の一端から折曲可能に伸び、折り曲げられるとき、それに伴って絶縁ハウジング部材２２の折曲当接部４０を折り曲げるとともに、中心導体１２がコンタクト部材２０に接続された同軸ケーブル１１の外側導体１４との接続がなされることになるシェル部４４と、環状嵌合部２６から伸びて、絶縁ハウジング部材２２における保持部４１に設けられた一対の凹部４３に夫々係合することになる一対のハウジング受け部４５とを有している。シェル部４４は、それに沿って絶縁ハウジング部材２２における折曲当接部４０が伸びることになるものとされている。
【００３６】
そして、シェル部４４には、折り曲げられて絶縁ハウジング部材２２における保持部４１を挟持することになる一対の第１の折曲挟持部４６，折り曲げられて中心導体１２がコンタクト部材２０に接続された同軸ケーブル１１の外側導体１４を挟持することになる一対の第２の折曲挟持部４７、及び、折り曲げられて中心導体１２がコンタクト部材２０に接続された同軸ケーブル１１の表皮絶縁体１５を挟持することになる一対の第３の折曲挟持部４８が設けられている。また、一対のハウジング受け部４５の夫々には、それが係合する絶縁ハウジング部材２２における保持部４１を係止する係止部４５ａが設けられており、それにより、一対のハウジング受け部４５の夫々による絶縁ハウジング部材２２における保持部４１に対する係合が、極めて堅固に行われることになる。
【００３７】
さらに、同軸コネクタ装置１０が備えるコンタクト部材２０は、図１１，図１２及び図１３に示されるように、絶縁ハウジング部材２２における保持部４１に固定される平板状の固定部分５０と固定部分５０に対して変位可能とされて固定部分５０に連結された平板状の可動部分５１とを有して構成され、同軸ケーブル１１の中心導体１２に接続される中心導体接続部５２と、同軸コネクタ装置１０が相手方コネクタ装置３０に嵌合連結されるとき、相手方同軸コネクタ装置３０の中心コンタクト３５に接触接続される一対の接触端子部５３と、中心導体接続部５２と一対の接触端子部５３とを連結する平板状連結部５４とを有している。固定部分５０には、その略中央となる部位に透孔５５が形成されている。この透孔５５は、絶縁ハウジング部材２２における保持部４１の略中央となる部分に形成された透孔４２に対応する位置に配されることになる。
【００３８】
このような中心導体接続部５２，一対の接触端子部５３及びそれらを連結する平板状連結部５４を有したコンタクト部材２０は、例えば、弾性金属板材に打抜き折曲げ加工が施されることにより一体的に形成される。そして、コンタクト部材２０の中心導体接続部５２が同軸ケーブル１１の中心導体１２に接続される際には、中心導体接続部５２を構成する固定部分５０に同軸ケーブル１１の中心導体１２が載置されたもとで、固定部分５０と共に中心導体接続部５２を構成する可動部分５１が、絶縁ハウジング部材２２の折曲当接部４０により押圧されて固定部分５０に向かって変位せしめられ、それにより、可動部分５１と固定部分５０とによって同軸ケーブル１１の中心導体１２が挟持される状態がとられる。
【００３９】
上述の図１１〜図１３に示されるコンタクト部材２０と図９及び図１０に示されるグラウンドコンタクト部材２１とが、図６〜図８に示される絶縁ハウジング部材２２によって相互絶縁状態とされて支持されることにより、同軸コネクタ装置１０が、図１４，図１５及び図１６に示されるように組み立てられる。このような図１４〜図１６に示される同軸コネクタ装置１０の組立は、例えば、次のようにしてなされる。
【００４０】
先ず、コンタクト部材２０が、その一対の接触端子部５３が絶縁ハウジング部材２２における基部２５に形成された矩形透孔２４内に挿入されるとともに、その中心導体接続部５２が絶縁ハウジング部材２２における保持部４１によって保持される状態をもって、絶縁ハウジング部材２２に取り付けられる。絶縁ハウジング部材２２における保持部４１によって保持されたコンタクト部材２０の中心導体接続部５２は、固定部分５０と可動部分５１とによって構成されているが、固定部分５０が絶縁ハウジング部材２２における保持部４１に固定され、可動部分５１が、絶縁ハウジング部材２２における保持部４１に固定された固定部分５０に対する近接変位及び離隔変位を行い得るものとされる。そして、固定部分５０が絶縁ハウジング部材２２における保持部４１に固定されるにあたっては、固定部分５０に形成された透孔５５が絶縁ハウジング部材２２における保持部４１に形成された透孔４２に対応する位置に配されるものとされる。
【００４１】
続いて、グラウンドコンタクト部材２１が、コンタクト部材２０が取り付けられた絶縁ハウジング部材２２に取り付けられる。その際には、絶縁ハウジング部材２２における基部２５が、グラウンドコンタクト部材２１における環状嵌合部２６の内側に配されて、基部２５から伸びる折曲当接部４０が、図１６に示されるように、グラウンドコンタクト部材２１における環状嵌合部２６から伸びるシェル部４４に沿って伸びるものとされる。また、絶縁ハウジング部材２２における保持部４１の底面部側に設けられた一対の凹部４３に、グラウンドコンタクト部材２１における環状嵌合部２６から伸びる一対のハウジング受け部４５が夫々係合する。
【００４２】
グラウンドコンタクト部材２１における一対のハウジング受け部４５が絶縁ハウジング部材２２における保持部４１に設けられた一対の凹部４３に夫々係合するにあたっては、一対のハウジング受け部４５の夫々に設けられた係止部４５ａが、絶縁ハウジング部材２２における保持部４１を係止するものとされ、それにより、一対のハウジング受け部４５の夫々による絶縁ハウジング部材２２における保持部４１に対する係合が極めて堅固に行われて、一対のハウジング受け部４５によって絶縁ハウジング部材２２の補強がなされることになる。このように、グラウンドコンタクト部材２１における一対のハウジング受け部４５によって絶縁ハウジング部材２２が補強されるので、絶縁ハウジング部材２２についての必要な機械的強度を損なうことなく、絶縁ハウジング部材２２の肉厚を薄くし、それにより、同軸コネクタ装置１０が回路基板に取り付けられた相手方同軸コネクタ装置３０に嵌合連結されたとき、相手方同軸コネクタ装置３０が取り付けられた回路基板の部品等搭載面から突出する方向、即ち、回路基板の部品等搭載面に直交する方向の寸法である、同軸コネクタ装置１０の厚み寸法の低減を図るようにすることができる。
【００４３】
このようにして、コンタクト部材２０及びグラウンドコンタクト部材２１が絶縁ハウジング部材２２に取り付けられて組み立てられた同軸コネクタ装置１０にあっては、コンタクト部材２０の一対の接触端子部５３が、グラウンドコンタクト部材２１の環状嵌合部２６の内側に配されるとともに、コンタクト部材２０の固定部分５０及び可動部分５１を有した中心導体接続部５２が、グラウンドコンタクト部材２１の環状嵌合部２６の外側に配されることになる。
【００４４】
そして、斯かる同軸コネクタ装置１０が同軸ケーブル１１の一端部に装着されるときには、図１７に示されるように、同軸ケーブル１１の一端部において、表皮絶縁体１５が部分的に切除され、さらに、外側導体１４と内部絶縁体１３とが部分的に切除されて露出するものとされた中心導体１２が、同軸コネクタ装置１０におけるコンタクト部材２０の中心導体接続部５２を構成する固定部分５０に載置される。その際、同軸コネクタ装置１０の中心導体１２は、固定部分５０に形成された透孔５５を塞ぐ状態をもって、固定部分５０と固定部分５０と共に中心導体接続部５２を構成する可動部分５１との間に位置するものとされる。
【００４５】
その後、グラウンドコンタクト部材２１におけるシェル部４４が、図１６において矢印αにより示される、絶縁ハウジング部材２２における保持部４１に向かう方向に、絶縁ハウジング部材２２における折曲当接部４０を伴って折り曲げられて、絶縁ハウジング部材２２における保持部４１と略平行となる位置をとるものとされる。そして、グラウンドコンタクト部材２１におけるシェル部４４に伴って折り曲げられた絶縁ハウジング部材２２における折曲当接部４０が、コンタクト部材２０の中心導体接続部５２を構成する可動部分５１に当接して、可動部分５１を固定部分５０に向かって押圧変位させ、固定部分５０に載置された同軸ケーブル１１の中心導体１２を可動部分５１と固定部分５０とによって挟持されたものとなす。それにより、同軸ケーブル１１の中心導体１２がコンタクト部材２０の中心導体接続部５２に接続された状態が得られる。斯かる際、コンタクト部材２０の中心導体接続部５２に同軸ケーブル１１の中心導体１２を半田付けすることは不要とされる。また、このときに生じる押圧力は、絶縁ハウジング部材２２における保持部４１に加えてグラウンドコンタクト部材２１における環状嵌合部２６から伸びる一対のハウジング受け部４５にて受けられるので、十分な強度が確保され、変形等の破損は起き難い。
【００４６】
また、コンタクト部材２０の中心導体接続部５２及びそれに接続された同軸ケーブル１１の中心導体１２は、グラウンドコンタクト部材２１の環状嵌合部２６の外側となる位置に配されることになる。さらに、同軸ケーブル１１の中心導体１２がコンタクト部材２０の中心導体接続部５２に接続されたもとにあっては、コンタクト部材２０において、一対の接触端子部５３と同軸ケーブル１１の中心導体１２が接続された中心導体接続部５２との両者が、平板状連結部５４から同じ方向に突出するものとなる。これらのことは、同軸コネクタ装置１０の厚み寸法の低減に貢献する。
【００４７】
続いて、折り曲げられたグラウンドコンタクト部材２１におけるシェル部４４に設けられた一対の第１の折曲挟持部４６，一対の第２の折曲挟持部４７及び一対の第３の折曲挟持部４８が夫々折り曲げられて、一対の第１の折曲挟持部４６が絶縁ハウジング部材２２における保持部４１を挟持し、一対の第２の折曲挟持部４７が同軸ケーブル１１の外側導体１４を挟持し、さらに、一対の第３の折曲挟持部４８が同軸ケーブル１１の表皮絶縁体１５を挟持する状態がとられる。その結果、図１〜図３に示されるような、同軸ケーブル１１の一端部に装着された同軸コネクタ装置１０が得られる。
【００４８】
同軸コネクタ装置１０が同軸ケーブル１１の一端部に装着されたもとにあっては、絶縁ハウジング部材２２の保持部４１に透孔４２が形成されるとともに、コンタクト部材２０の中心導体接続部５２を構成する固定部分５０に透孔５５が形成されていて、透孔５５が透孔４２に対応する位置に配されているので、絶縁ハウジング部材２２における保持部４１の底面部分側から、透孔４２及び透孔５５を通じて、コンタクト部材２０の中心導体接続部５２に接続された同軸ケーブル１１の中心導体１２を目視することが可能とされる。そして、斯かる目視により、同軸ケーブル１１の中心導体１２がコンタクト部材２０の中心導体接続部５２に接続された状態の確認を行うことができる。
【００４９】
上述のような同軸コネクタ装置１０にあっては、同軸ケーブル１１の一端部に装着されたとき、コンタクト部材２０の中心導体接続部５２における固定部分５０及び可動部分５１及びそれらにより挟持された同軸ケーブル１１の中心導体１２が、同軸コネクタ装置１０が相手方同軸コネクタ装置３０に嵌合連結されたとき、グラウンドコンタクト部材２１の環状嵌合部２６の内側においてコンタクト部材２０の一対の接触端子部５３が接触接続される相手方同軸コネクタ装置３０の中心コンタクト３５に重ねられることになる位置に配されることがなく、また、コンタクト部材２０において、同軸ケーブル１１の中心導体１２が接続された中心導体接続部５２が、平板状連結部５４から一対の接触端子部５３と同じ方向に突出するものとなるので、相手方同軸コネクタ装置３０が取り付けられた回路基板の部品等搭載面から突出する方向、即ち、回路基板の部品等搭載面に直交する方向の寸法である、厚み寸法の低減を図ることができる。
【００５０】
しかも、このようなもとで、同軸ケーブル１１の中心導体１２のコンタクト部材２０の中心導体接続部５２への接続は、絶縁ハウジング部材２２に設けられた折曲当接部４０をグラウンドコンタクト部材２１のシェル部４４に伴うものとして折り曲げて、その折曲当接部４０によって中心導体接続部５２における可動部分５１を押圧し、可動部分５１と固定部分５０とによって同軸ケーブル１１の中心導体１２を挟持することにより行うことができるので、絶縁ハウジング部材２２の構成を複雑にするような別段の手段は要されない。また、コンタクト部材２０と同軸ケーブル１１の中心導体１２とを接続する半田付けも必要とされない。
【００５１】
その結果、同軸コネクタ装置１０によれば、コンタクト部材２０と同軸ケーブル１１の中心導体１２との接続に半田付けを不要とでき、しかも、絶縁ハウジング部材２２についての構成の複雑化をまねくことなく、厚み寸法の低減を図ることができることになる。
【産業上の利用可能性】
【００５２】
以上のような本願発明に係る同軸コネクタ装置は、同軸ケーブルの中心導体が接続されるコンタクト部材と、同軸ケーブルの外側導体が接続されるグラウンドコンタクト部材と、コンタクト部材とグラウンドコンタクト部材とを相互絶縁状態をもって支持する絶縁ハウジング部材とを備えて構成されるもとで、コンタクト部材と同軸ケーブルの中心導体との接続に半田付けを不要とでき、しかも、絶縁ハウジング部材についての構成の複雑化をまねくことなく、厚み寸法の低減を図ることができるものとして、各種の電子機器等に広く適用され得るものである。
【符号の説明】
【００５３】
１０・・・同軸コネクタ装置，  １１・・・同軸ケーブル，  １２・・・中心導体，    １３・・・内部絶縁体，  １４・・・外側導体１４，  １５・・・表皮絶縁体，  ２０・・・コンタクト部材，  ２１・・・グラウンドコンタクト部材，  ２２・・・絶縁ハウジング部材，  ２４・・・矩形透孔，  ２５・・・基部，  ２６・・・環状嵌合部，  ３０・・・相手方同軸コネクタ装置，  ３１・・・絶縁基体，  ３４・・・信号用接触導体，  ３５・・・中心コンタクト，  ３６・・・信号用接続部，  ３７・・・外側コンタクト，  ３８・・・接地用接続部，  ４０・・・折曲当接部，  ４１・・・保持部，  ４２，５５・・・透孔，  ４３・・・凹部，  ４４・・・シェル部，  ４５・・・ハウジング受け部，  ４５ａ・・・係止部，  ４６・・・第１の折曲挟持部，  ４７・・・第２の折曲挟持部，  ４８・・・第３の折曲挟持部，  ５０・・・固定部分，  ５１・・・可動部分，  ５２・・・中心導体接続部，  ５３・・・接触端子部，  ５４・・・平板状連結部
【図１】
0005757153.tif 000002
【図２】
0005757153.tif 000003
【図３】
0005757153.tif 000004
【図４】
0005757153.tif 000005
【図５】
0005757153.tif 000006
【図６】
0005757153.tif 000007
【図７】
0005757153.tif 000008
【図８】
0005757153.tif 000009
【図９】
0005757153.tif 000010
【図１０】
0005757153.tif 000011
【図１１】
0005757153.tif 000012
【図１２】
0005757153.tif 000013
【図１３】
0005757153.tif 000014
【図１４】
0005757153.tif 000015
【図１５】
0005757153.tif 000016
【図１６】
0005757153.tif 000017
【図１７】
0005757153.tif 000018